(57)【特許請求の範囲】
【請求項１】
画像を表示する表示部と、画像を記憶する画像記憶部と、を備えた表示装置と、
前記表示装置を制御するパネル制御部と、
前記パネル制御部を制御するメイン制御部と、
前記表示装置、前記パネル制御部、及び前記メイン制御部を給電状態にする通常モードと、前記表示装置を給電状態にし、且つ、前記パネル制御部及び前記メイン制御部を非給電状態にするスリープモードと、の間で電力モードを切り替える省エネ制御部と、
を備え、
前記メイン制御部は、前記省エネ制御部が前記電力モードを前記スリープモードへ切り替えるときに、前記電力モードが前記スリープモードであることを示すスリープ表示画像と前記電力モードが前記スリープモードから前記通常モードへ復帰中であることを示す復帰中表示画像とを前記パネル制御部へ送信した後、非給電状態になり、
前記パネル制御部は、前記送信された前記スリープ表示画像及び前記復帰中表示画像と、前記画像記憶部に記憶されている画像のうち前記表示部に表示させる対象の画像として、前記スリープ表示画像を指示する第一の信号と、を前記表示装置へ出力した後、非給電状態になり、
前記表示装置は、前記スリープ表示画像及び前記復帰中表示画像と前記第一の信号とが入力されると、当該入力された前記スリープ表示画像及び前記復帰中表示画像を前記画像記憶部に記憶し、当該入力された前記第一の信号が示す前記スリープ表示画像を前記画像記憶部から読み出して、前記表示部に当該スリープ表示画像を表示させる表示制御装置。
【請求項２】
前記パネル制御部は、前記省エネ制御部が前記電力モードを前記スリープモードから前記通常モードへ切り替えたときに、前記画像記憶部に記憶されている画像のうち前記表示部に表示させる対象の画像として、前記復帰中表示画像を指示する第二の信号を前記表示装置へ出力し、
前記表示装置は、前記第二の信号が入力されると、当該入力された前記第二の信号が示す前記復帰中表示画像を前記画像記憶部から読み出して、前記表示部に当該復帰中表示画像を表示させる請求項１に記載の表示制御装置。
【請求項３】
前記表示装置は、ハイレベル又はローレベルを示すリセット信号が入力され、入力された前記リセット信号がハイレベルを示す場合は、前記表示部に画像を表示させる一方、入力された前記リセット信号がローレベルを示す場合は、前記表示部に画像を表示させず、
前記パネル制御部は、非給電状態である場合にローレベルを示す前記リセット信号を出力し、
前記表示制御装置は、
前記パネル制御部が出力した前記リセット信号を、ハイレベルを示す前記リセット信号に切り替えて前記表示装置へ出力する信号切替部を更に備える請求項１又は２に記載の表示制御装置。
【請求項４】
請求項１から３の何れか一項に記載の表示制御装置を備えた電子機器であって、
ユーザーに前記電子機器に対する操作指示を入力させるための入力操作部を備える電子機器。
【発明の詳細な説明】
【技術分野】
【０００１】
本発明は、表示制御装置及び当該表示制御装置を備えた電子機器に関し、特に、電力モードを示す画像を表示する技術に関する。
【背景技術】
【０００２】
従来から、液晶ディスプレイ（ＬＣＤ：Ｌｉｑｕｉｄ  Ｃｒｙｓｔａｌ  Ｄｉｓｐｌａｙ）等の表示部への画像の表示を制御するパネル制御部、電子機器全体を統括制御するシステム制御部等、複数の制御部を備えた電子機器が知られている。また、このような電子機器において、全制御部を給電状態にする通常モードと、動作不要と考えられる一部の制御部を非給電状態にするスリープモードとの間で電力モードを切り替えて、無駄な消費電力を抑制することが知られている。
【０００３】
例えば下記特許文献１には、複数のユニット（制御部）の組み合わせにより構成された画像形成装置が記載されている。当該画像形成装置は、ユニットとして、装置全体を制御するメインシステム、ＬＣＤの表示を制御する操作部制御システム、及びプリント機能を実現するプロッタユニット等を備えている。また、当該画像形成装置は、全ユニットに電力を供給する通常動作モード（通常モード）と、メインシステム及び操作部制御システムにのみ電力を供給し、他のユニットへの電力の供給を停止する省エネルギーモード（スリープモード）との間で、起動モード（電力モード）を切り替える。
【０００４】
当該画像形成装置は、装置への電源投入当初、通常動作モードで起動する。メインシステム及び操作部制御システムは、電力が供給されるとそれぞれ所定の初期動作を開始する。操作部制御システムは、初期動作完了後、メインシステムからの通信開始を待つ待機状態になる。一方、メインシステムは、初期動作完了後、操作部制御システムとの通信を確立する。その後、メインシステムは、適宜、設定情報や動作コマンドを操作部制御システムへ送信することにより操作部制御システムを制御する。
【０００５】
また、当該画像形成装置は、起動モードが通常動作モードである場合に一定時間操作入力がない等の所定条件が成立すると、起動モードを通常動作モードから省エネルギーモードへ移行する。当該移行当初、メインシステムは、装置内に収容されている紙の枚数や周辺機器の接続状態等を示す装置情報を操作部制御システムへ送信する。一方、操作部制御システムは、受信した装置情報をＲＡＭに記憶後、メインシステムへ移行了解通知を送信する。メインシステムは、当該移行了解通知を受信すると、メインシステム及び操作部制御システム以外のユニットへの電力の供給を遮断し、更にＬＣＤへの電力の供給も遮断する。
【０００６】
また、当該画像形成装置は、起動モードが省エネルギーモードである場合に、ソフトスイッチが押下される又は他の装置からデータを受信する等の所定の復帰条件が成立すると、起動モードを省エネルギーモードから通常動作モードへ復帰させる。ソフトスイッチの押下によって通常動作モードへ復帰させる場合、メインシステムは、ＬＣＤへの情報の表示が必要であることを示す信号を操作部制御システムへ出力する。一方、他の装置からのデータの受信によって通常動作モードへ復帰させる場合、メインシステムは、ＬＣＤへの情報の表示が不要であることを示す信号を操作部制御システムへ出力する。
【０００７】
これに応じて、操作部制御システムは、省エネルギーモードから通常動作モードへの復帰時に、ＬＣＤへの情報の表示が必要であることを示す信号が入力されると、ＲＡＭに記憶しておいた装置情報に基づく情報をＬＣＤに表示させた後、メインシステムとの通信を待機する。一方、ＬＣＤへの情報の表示が不要であることを示す信号が入力された場合は、ＬＣＤに情報を表示しないままメインシステムとの通信を待機する。
【先行技術文献】
【特許文献】
【０００８】
【特許文献１】特開２００８−２２９９９０号公報
【発明の概要】
【発明が解決しようとする課題】
【０００９】
しかし、上記特許文献１に記載の技術では、スリープモード（省エネルギーモード）時にメイン制御部（メインシステム）及びパネル制御部（操作部制御システム）を給電状態にする。つまり、上記特許文献１に記載の技術では、スリープモード時にメイン制御部及びパネル制御部において少なからず電力が消費される虞があり、スリープモード時における消費電力を抑制する改善の余地があった。
【００１０】
また、上記特許文献１に記載の技術では、スリープモード時にＬＣＤを非給電状態にする。このため、ユーザーは、電力モードがスリープモードであることに起因してＬＣＤが非表示になっているのか、又は、電子機器に電源が投入されていないことに起因してＬＣＤが非表示になっているのかを判別することができなかった。
【００１１】
また、上記特許文献１に記載の技術では、ソフトスイッチの押下によってスリープモードから通常モード（通常動作モード）へ復帰する場合、メインシステムの初期動作が未完了のうちに、操作制御システムは、メインシステムによる制御によらず、装置情報に基づく情報をＬＣＤに表示する。このため、ユーザーは、ソフトスイッチの押下後、装置情報に基づく情報がＬＣＤに表示されたことに気付き、メインシステムの初期動作が未完了であるにも関わらず、通常モードへの復帰が完了したものと誤認する虞があった。この場合、ユーザーは、装置に対して所望の操作を開始するものの、メインシステムの初期動作が未完了であるために当該操作が有効にならないので煩わしさを感じる虞があった。
【００１２】
本発明は、上記の問題を解決するためになされたもので、スリープモード時の消費電力を抑制することができ、且つ、現在の電力モードをユーザーに的確に把握させることができる表示制御装置及び当該表示制御装置を備えた電子機器を提供することを目的とする。
【課題を解決するための手段】
【００１３】
本発明による表示制御装置は、画像を表示する表示部と、画像を記憶する画像記憶部と、を備えた表示装置と、前記表示装置を制御するパネル制御部と、前記パネル制御部を制御するメイン制御部と、前記表示装置、前記パネル制御部、及び前記メイン制御部を給電状態にする通常モードと、前記表示装置を給電状態にし、且つ、前記パネル制御部及び前記メイン制御部を非給電状態にするスリープモードと、の間で電力モードを切り替える省エネ制御部と、を備え、前記メイン制御部は、前記省エネ制御部が前記電力モードを前記スリープモードへ切り替えるときに、前記電力モードが前記スリープモードであることを示すスリープ表示画像と前記電力モードが前記スリープモードから前記通常モードへ復帰中であることを示す復帰中表示画像とを前記パネル制御部へ送信した後、非給電状態になり、前記パネル制御部は、前記送信された前記スリープ表示画像及び前記復帰中表示画像と、前記画像記憶部に記憶されている画像のうち前記表示部に表示させる対象の画像として、前記スリープ表示画像を指示する第一の信号と、を前記表示装置へ出力した後、非給電状態になり、前記表示装置は、前記スリープ表示画像及び前記復帰中表示画像と前記第一の信号とが入力されると、当該入力された前記スリープ表示画像及び前記復帰中表示画像を前記画像記憶部に記憶し、当該入力された前記第一の信号が示す前記スリープ表示画像を前記画像記憶部から読み出して、前記表示部に当該スリープ表示画像を表示させる。
【００１４】
この構成によれば、省エネ制御部によって電力モードがスリープモードへ切り替えられると、メイン制御部及びパネル制御部は非給電状態になる。このため、電力モードがスリープモードである場合にメイン制御部及びパネル制御部を給電状態にする構成に比して、電力モードがスリープモードである場合にメイン制御部及びパネル制御部によって消費される消費電力を抑制することができる。
【００１５】
また、上記表示制御装置の構成によれば、電力モードがスリープモードへ切り替えられるとき、メイン制御部により送信されたスリープ表示画像及び復帰中表示画像が画像記憶部に記憶され、表示部にスリープ表示画像が表示される。そして、電力モードがスリープモードの間も、表示装置は給電状態になる。
【００１６】
このため、表示装置は、電力モードがスリープモードである間、スリープ表示画像を表示部に表示させ続けることができる。その結果、ユーザーは、電力モードがスリープモードである間、スリープ表示画像を視認することにより、現在の電力モードがスリープモードであることを的確に把握することができる。
【００１７】
また、電力モードがスリープモードから通常モードへ切り替えられ、メイン制御部及びパネル制御部が給電状態になったとする。そして、例えば、メイン制御部が給電状態になった当初に行う所定の初期化処理を終えていないときに、パネル制御部が給電状態になった当初に行う所定の初期化処理を終えていたとする。この場合、電力モードがスリープモードである間、表示装置は、給電状態であるので、復帰中表示画像を画像記憶部に記憶した状態を維持することができる。これによって、パネル制御部は、初期化処理の終了後、メイン制御部による制御によらずに表示装置を制御し、画像記憶部に記憶されている復帰中表示画像を表示部に表示させることができる。その結果、ユーザーは、復帰中表示画像を視認することにより、メイン制御部が給電状態になった当初に行う所定の初期化処理を終えていず、電力モードがスリープモードから通常モードへ復帰中であることを的確に把握することができる。
【００１８】
また、前記パネル制御部は、前記省エネ制御部が前記電力モードを前記スリープモードから前記通常モードへ切り替えたときに、前記画像記憶部に記憶されている画像のうち前記表示部に表示させる対象の画像として、前記復帰中表示画像を指示する第二の信号を前記表示装置へ出力し、前記表示装置は、前記第二の信号が入力されると、当該入力された前記第二の信号が示す前記復帰中表示画像を前記画像記憶部から読み出して、前記表示部に当該復帰中表示画像を表示させることが好ましい。
【００１９】
本構成によれば、電力モードがスリープモードから通常モードへ切り替えられたときには、メイン制御部が給電状態になった当初に行う所定の初期化処理を終えていないときであっても、パネル制御部により、画像記憶部に記憶されている復帰中表示画像が表示部に表示される。このため、ユーザーは、復帰中表示画像を視認することにより、メイン制御部が給電状態になった当初に行う所定の初期化処理を終えていず、電力モードがスリープモードから通常モードへ復帰中であることを的確に把握することができる。
【００２０】
また、前記表示装置は、ハイレベル又はローレベルを示すリセット信号が入力され、入力された前記リセット信号がハイレベルを示す場合は、前記表示部に画像を表示させる一方、入力された前記リセット信号がローレベルを示す場合は、前記表示部に画像を表示させず、前記パネル制御部は、非給電状態である場合にローレベルを示す前記リセット信号を出力し、前記表示制御装置は、前記パネル制御部が出力した前記リセット信号を、ハイレベルを示す前記リセット信号に切り替えて前記表示装置へ出力する信号切替部を更に備えることが好ましい。
【００２１】
この構成によれば、電力モードがスリープモードに切り替えられたときに、パネル制御部が非給電状態になった場合であっても、信号切替部は、ハイレベルのリセット信号を表示装置へ出力する。このため、表示装置は、電力モードがスリープモードの間、電力モードがスリープモードに切り替えられるときに表示されたスリープ表示画像を非表示にすることなく、スリープ表示画像の表示を継続することができる。
【００２２】
また、本発明による電子機器は、前記表示制御装置を備えた電子機器であって、ユーザーに前記電子機器に対する操作指示を入力させるための入力操作部を備える。
【００２３】
この構成によれば、電子機器において、スリープモード時の消費電力を抑制することができ、且つ、現在の電力モードをユーザーに的確に把握させることができる。
【発明の効果】
【００２４】
この発明によれば、スリープモード時の消費電力を抑制することができ、且つ、現在の電力モードをユーザーに的確に把握させることができる表示制御装置及び当該表示制御装置を備えた電子機器を提供することができる。
【図面の簡単な説明】
【００２５】
【図１】本発明の電子機器の一実施形態に係る複写機の電気的構成を示すブロック図である。
【図２】本発明の表示制御装置の一実施形態に係る表示制御装置の電気的構成を示すブロック図である。
【図３】電源投入当初の表示制御装置の動作の一例を示すシーケンス図である。
【図４】電力モードが通常モードからスリープモードへ切り替えられるときの表示制御装置の動作の一例を示すシーケンス図である。
【図５】電力モードがスリープモードから通常モードへ切り替えられるときの表示制御装置の動作の一例を示すシーケンス図である。
【発明を実施するための形態】
【００２６】
以下、本発明に係る電子機器の一実施形態を図面に基づいて説明する。尚、本実施形態では、電子機器として複写機を例に説明するが、これに限定する趣旨ではなく、電子機器は、例えば、プリンター、ファクシミリ装置、又はスキャナー等の画像処理装置や、これら画像処理装置の機能を兼ね備えた複合機、ゲーム機、携帯電話、及びカーナビゲーション装置であってもよい。
【００２７】
図１は、本発明の電子機器の一実施形態に係る複写機１の電気的構成を示すブロック図である。図１に示すように、複写機１は、入力操作部８０と、メイン制御部２０と、パネル制御部３０と、ＬＣＤモジュール４０（表示装置）と、画像形成制御部５０と、電源部９０と、省エネ制御部１０と、を備えている。
【００２８】
入力操作部８０は、ユーザーに複写機１に対する操作指示を入力させるための各種キーを備えている。例えば、入力操作部８０には、数値や記号を入力するためのテンキーや、後述の電力モードを切り替える指示を入力するためのモード切替キーや、印刷実行指示を入力するためのスタートキー等の各種キーが含まれる。入力操作部８０は、押下されたキーに対応付けられた操作指示を示す信号を、省エネ制御部１０及びメイン制御部２０へ出力する。
【００２９】
メイン制御部２０は、不図示のＣＰＵ（Ｃｅｎｔｒａｌ  Ｐｒｏｃｅｓｓｉｎｇ  Ｕｎｉｔ）と、当該ＣＰＵにより実行される制御プログラムが記憶されたＥＥＰＲＯＭ等の不図示の不揮発性メモリーと、データを一時的に記憶するための不図示のＲＡＭ（Ｒａｎｄｏｍ  Ａｃｃｅｓｓ  Ｍｅｍｏｒｙ）と、パネル制御部３０及び画像形成制御部５０との間で通信を行うための通信インターフェイス回路等の周辺回路を備えている。
【００３０】
メイン制御部２０は、ＣＰＵが不揮発性メモリーに記憶された制御プログラムを実行することによって、パネル制御部３０及び画像形成制御部５０との間で通信を行い、パネル制御部３０及び画像形成制御部５０を統括して制御する。尚、メイン制御部２０が備える不揮発性メモリーには、後述の画像形成動作が行われた用紙の総枚数、画像を用紙に形成するときの初期濃度値等の画像形成動作の初期条件、及び後述のＬＣＤ４１に表示させる画像を示す画像データ等、パネル制御部３０及び画像形成制御部５０の制御に用いる各種データが記憶されている。メイン制御部２０の詳細については、後述する。
【００３１】
パネル制御部３０は、不図示のＣＰＵと、当該ＣＰＵにより実行される制御プログラムが記憶されたＥＥＰＲＯＭ等の不図示の不揮発性メモリーと、データを一時的に記憶するための不図示のＲＡＭと、メイン制御部２０及びＬＣＤモジュール４０との間で通信を行うための通信インターフェイス回路等の周辺回路を備えている。
【００３２】
パネル制御部３０は、ＣＰＵが不揮発性メモリーに記憶された制御プログラムを実行することによって、メイン制御部２０との間で通信を行い、メイン制御部２０による指示の下、ＬＣＤモジュール４０を制御する。パネル制御部３０の詳細については、後述する。
【００３３】
ＬＣＤモジュール４０は、各種画像を表示するＬＣＤ（Ｌｉｑｕｉｄ  Ｃｒｙｓｔａｌ  Ｄｉｓｐｌａｙ、表示部）４１を備えている。ＬＣＤモジュール４０には、後述するように、パネル制御部３０により出力された画像データ及び表示指示信号が入力される。ＬＣＤモジュール４０は、入力された画像データ及び表示指示信号に基づいて、当該画像データが示す画像をＬＣＤ４１に表示させる。ＬＣＤモジュール４０の詳細については、後述する。
【００３４】
画像形成制御部５０は、不図示のＣＰＵと、当該ＣＰＵにより実行される制御プログラムが記憶されたＥＥＰＲＯＭ等の不図示の不揮発性メモリーと、データを一時的に記憶するための不図示のＲＡＭと、メイン制御部２０との間で通信を行うための通信インターフェイス回路等の周辺回路を備えている。
【００３５】
画像形成制御部５０は、ＣＰＵが不揮発性メモリーに記憶された制御プログラムを実行することによって、メイン制御部２０との間で通信を行い、メイン制御部２０による指示の下、用紙に画像を形成する画像形成動作を制御する。
【００３６】
電源部９０は、内部にＡＣ／ＤＣコンバーター（図略）等を備え、メインスイッチ（図略）を介して商用交流電源（図略）に接続されている。電源部９０は、メインスイッチが閉状態になると、商用交流電源から供給される商用交流電圧を用いて、複写機１内の各動作部（入力操作部８０、省エネ制御部１０、メイン制御部２０、パネル制御部３０、ＬＣＤモジュール４０、及び画像形成制御部５０）の動作に用いる電源電圧を生成する。電源部９０は、生成した電源電圧を不図示の給電線を介して各動作部へ供給する。
【００３７】
省エネ制御部１０は、不図示のＣＰＵと、当該ＣＰＵにより実行される制御プログラムが記憶されたＥＥＰＲＯＭ等の不図示の不揮発性メモリーと、データを一時的に記憶するための不図示のＲＡＭと、これらの周辺回路を備えている。
【００３８】
省エネ制御部１０は、通常モードとスリープモードとの間で電力モードを切り替える。通常モードは、電源部９０によって生成された電源電圧を複写機１内の全動作部に供給して、全動作部を給電状態にする電力モードである。一方、スリープモードとは、入力操作部８０、省エネ制御部１０、及びＬＣＤモジュール４０に上記電源電圧を供給し、その他の動作部（メイン制御部２０、パネル制御部３０、及び画像形成制御部５０）への上記電源電圧の供給を遮断して、当該その他の動作部を非給電状態にする電力モードである。
【００３９】
そして、上記の省エネ制御部１０、メイン制御部２０、パネル制御部３０、及びＬＣＤモジュール４０によって、本発明に係る表示制御装置の一実施形態に係る表示制御装置２が構成されている。以下、表示制御装置２の詳細について説明する。図２は、本発明の表示制御装置の一実施形態に係る表示制御装置２の電気的構成を示すブロック図である。
【００４０】
図２に示すように、表示制御装置２は、省エネ制御部１０と、給電スイッチＳＷ１、ＳＷ２と、メイン制御部２０と、パネル制御部３０と、リセット信号出力回路２１（信号切替部）と、ＬＣＤモジュール４０と、を備えている。
【００４１】
省エネ制御部１０には、電源部９０から電源電圧Ｖ１が常時供給される。また、省エネ制御部１０には、入力操作部８０に含まれるモード切替キーが押下されたことを示すモード切替信号ＭＯＤが入力される。一方、省エネ制御部１０は、給電スイッチＳＷ１、ＳＷ２を開閉する指示を示す開閉指示信号ＳＴ１ａ、ＳＴ２ａと、電力モードの切り替え指示を示す切替指示信号ＭＤＣと、を出力する。省エネ制御部１０における各種信号の入出力動作については後述する。
【００４２】
給電スイッチＳＷ１は、電源部９０から供給される電源電圧Ｖ２をメイン制御部２０に供給するか否かを切り替える開閉スイッチである。給電スイッチＳＷ１は、省エネ制御部１０から出力される開閉指示信号ＳＴ１ａ、及び、メイン制御部２０から出力される後述の開閉指示信号ＳＴ１ｂが示す指示に応じて開閉する。
【００４３】
給電スイッチＳＷ２は、電源部９０から供給される電源電圧Ｖ３をパネル制御部３０に供給するか否かを切り替える開閉スイッチである。給電スイッチＳＷ２は、省エネ制御部１０から出力される開閉指示信号ＳＴ２ａ、及び、パネル制御部３０から出力される後述の開閉指示信号ＳＴ２ｂが示す指示に応じて開閉する。
【００４４】
メイン制御部２０には、給電スイッチＳＷ１が閉状態の場合に、電源部９０から給電スイッチＳＷ１を介して電源電圧Ｖ２が供給される。また、メイン制御部２０には、省エネ制御部１０から出力された切替指示信号ＭＤＣが入力される。一方、メイン制御部２０は、給電スイッチＳＷ１を開閉させる指示を示す開閉指示信号ＳＴ１ｂを出力する。また、メイン制御部２０は、上記通信インターフェイス回路を介してパネル制御部３０との間で通信を行う。メイン制御部２０における各種信号の入出力動作及びパネル制御部３０との間の通信動作については後述する。
【００４５】
パネル制御部３０には、給電スイッチＳＷ２が閉状態の場合に、電源部９０から給電スイッチＳＷ２を介して電源電圧Ｖ３が供給される。一方、パネル制御部３０は、給電スイッチＳＷ２を開閉させる指示を示す開閉指示信号ＳＴ２ｂ、ＬＣＤ４１に表示させる対象の画像を示す画像データＩＭＧ、及び、後述の画像記憶部４３に記憶されている画像データのうち、ＬＣＤ４１に表示させる対象の画像を指示する表示指示信号ＡＤＲを出力する。また、パネル制御部３０は、図略の通信インターフェイス回路を介してメイン制御部２０との間で通信を行う。パネル制御部３０における各種信号の入出力動作及びメイン制御部２０との間の通信動作については後述する。
【００４６】
また、パネル制御部３０は、電源電圧Ｖ３が供給されて給電状態である場合、ハイレベルを示すリセット信号ＲＳＴを出力する。一方、パネル制御部３０は、電源電圧Ｖ３の供給が遮断されて非給電状態である場合には、ロー（０）レベルを示すリセット信号ＲＳＴを出力する。
【００４７】
リセット信号出力回路２１は、パネル制御部３０が出力したリセット信号ＲＳＴを、ハイレベルを示すリセット信号ＲＳＴに切り替えてＬＣＤモジュール４０へ出力する。具体的には、リセット信号出力回路２１は、抵抗Ｒ１、Ｒ２、Ｒ３、及びトランジスタスイッチＳＷ３を備えている。リセット信号出力回路２１には、パネル制御部３０から出力されたリセット信号ＲＳＴが入力される。また、リセット信号出力回路２１には、電源部９０から電源電圧Ｖ５が常時供給されている。
【００４８】
リセット信号出力回路２１にハイレベルを示すリセット信号ＲＳＴが入力された場合、当該リセット信号ＲＳＴが抵抗Ｒ２を介してトランジスタスイッチＳＷ３に入力されることによって、トランジスタスイッチＳＷ３が閉状態になる。これにより、電源電圧Ｖ５の供給によって流れる電流が抵抗Ｒ１を介してグランドへ流れるようになる。つまり、リセット信号出力回路２１は、ハイレベルを示すリセット信号ＲＳＴが入力された場合、抵抗Ｒ１に生じた電圧の電圧レベルに相当するハイレベルのリセット信号ＲＳＴを、ＬＣＤモジュール４０のリセット入力端子ＲＥＳＴへ出力する。
【００４９】
一方、リセット信号出力回路２１にロー（０）レベルを示すリセット信号ＲＳＴが入力された場合、当該リセット信号ＲＳＴが抵抗Ｒ２を介してトランジスタスイッチＳＷ３に入力されても、トランジスタスイッチＳＷ３は、閉状態にならず、開状態になる。これにより、電源電圧Ｖ５の供給によって流れる電流がＬＣＤモジュール４０のリセット入力端子ＲＥＳＴへ流れるようになる。つまり、リセット信号出力回路２１は、ロー（０）レベルを示すリセット信号ＲＳＴが入力された場合には、電源電圧Ｖ５の電圧レベルに相当するハイレベルのリセット信号ＲＳＴを、ＬＣＤモジュール４０のリセット入力端子ＲＥＳＴへ出力する。
【００５０】
ＬＣＤモジュール４０は、電源端子ＶＤＤと、データ入力端子ＳＩと、指示信号入力端子Ａ０と、リセット入力端子ＲＥＳＴと、グランド端子ＧＮＤと、を備えている。電源端子ＶＤＤには、電源部９０から供給される電源電圧Ｖ４が常時入力される。データ入力端子ＳＩには、パネル制御部３０から出力された画像データＩＭＧが入力される。指示信号入力端子Ａ０には、パネル制御部３０から出力された表示指示信号ＡＤＲが入力される。リセット入力端子ＲＥＳＴには、リセット信号出力回路２１から出力されたリセット信号ＲＳＴが入力される。グランド端子ＧＮＤは、グランドに接続されている。
【００５１】
また、ＬＣＤモジュール４０は、ＬＣＤ４１と、不図示のセグメントドライバー及びコモンドライバーと、ＬＣＤドライバー４２と、を備えている。ＬＣＤ４１、セグメントドライバー、コモンドライバー、及びＬＣＤドライバー４２は、電源端子ＶＤＤを介して供給される電源電圧Ｖ４を用いて動作する。
【００５２】
ＬＣＤ４１は、例えば、複数のセグメント給電線とこれに直交する複数のコモン給電線との各交点にそれぞれ液晶セルを挟持してなる所謂単純マトリクス型（ＳＴＮ（Ｓｕｐｅｒ  Ｔｗｉｓｔｅｄ  Ｎｅｍａｔｉｃ型）の液晶ディスプレイである。各液晶セルの両端には、セグメント給電線を介して供給されるセグメント電圧と、コモン給電線を介して供給されるコモン電圧と、が印加される。この印加されるセグメント電圧及びコモン電圧のレベルに応じて、液晶分子の向きが変えられ、光の透過度合が調整される。これにより、各液晶セルを各画素とする画像が表示される。
【００５３】
セグメントドライバーは、ＬＣＤドライバー４２によって指示されたレベルの各セグメント電圧を生成し、生成した各セグメント電圧をＬＣＤ４１に備えられた各セグメント給電線へ供給する。コモンドライバーは、ＬＣＤドライバー４２によって指示されたレベルの各コモン電圧を生成し、生成した各コモン電圧をＬＣＤ４１に備えられた各コモン給電線へ供給する。
【００５４】
ＬＣＤドライバー４２は、不図示のＣＰＵと、当該ＣＰＵにより実行される制御プログラムが記憶されたＥＥＰＲＯＭ等の不図示の不揮発性メモリーと、画像記憶部４３と、データ入力端子ＳＩ、指示信号入力端子Ａ０、及びリセット入力端子ＲＥＳＴに入力された各種信号を受信する不図示のインターフェイス回路と、これらの周辺回路を備えている。
【００５５】
画像記憶部４３は、ＲＡＭ等の揮発性メモリーで構成されている。画像記憶部４３には、１つの画像データＩＭＧを記憶可能な記憶領域が２つ設けられている。以下、当該２つの記憶領域のうち、画像記憶部４３を構成する揮発性メモリーの先頭アドレスに近い側の記憶領域を第１記憶領域と示す。また、当該２つの記憶領域のうち、画像記憶部４３を構成する揮発性メモリーの先頭アドレスから遠い側の記憶領域を第２記憶領域と示す。
【００５６】
ＬＣＤドライバー４２は、ＣＰＵが不揮発性メモリーに記憶された制御プログラムを実行することによって、以下に示すように動作する。ＬＣＤドライバー４２は、不図示のインターフェイス回路を用いて、パネル制御部３０から出力された画像データＩＭＧ及び表示指示信号ＡＤＲを受信する。そして、ＬＣＤドライバー４２は、受信した画像データＩＭＧを、画像記憶部４３に設けられた第１記憶領域及び第２記憶領域のうちの何れかに記憶する。表示指示信号ＡＤＲは、画像記憶部４３に設けられた第１記憶領域及び第２記憶領域のうち、何れか一方の記憶領域の先頭アドレスを示している。
【００５７】
また、ＬＣＤドライバー４２は、画像記憶部４３から、受信した表示指示信号ＡＤＲが示す先頭アドレスに対応する記憶領域に記憶されている画像データＩＭＧを読み出す。そして、ＬＣＤドライバー４２は、当該読み出した画像データＩＭＧが示す画像の各画素の画素値（階調値）に基づいて、各画素に対応する各液晶セルに印加すべきセグメント電圧及びコモン電圧のレベルを決定する。そして、ＬＣＤドライバー４２は、当該決定したレベルのセグメント電圧及びコモン電圧を、セグメントドライバー及びコモンドライバーによって、各液晶セルを挟持するセグメント給電線及びコモン給電線へ供給させる。
【００５８】
その結果、各液晶セルの両端には、セグメント給電線及びコモン給電線を介して供給されたセグメント電圧及びコモン電圧が印加される。これにより、各液晶セルは、印加されたセグメント電圧及びコモン電圧のレベルに応じて液晶分子の向きを変え、光の透過度合が調整される。これにより、当該各液晶セルに対応する各画素で構成された画像がＬＣＤ４１に表示される。
【００５９】
また、ＬＣＤドライバー４２は、リセット入力端子ＲＥＳＴに入力されたリセット信号ＲＳＴがハイレベルを示す場合は、セグメントドライバー及びコモンドライバーにセグメント電圧及びコモン電圧を供給させる。一方、ＬＣＤドライバー４２は、リセット入力端子ＲＥＳＴに入力されたリセット信号ＲＳＴがローレベルを示す場合は、セグメントドライバー及びコモンドライバーによるセグメント電圧及びコモン電圧の供給を停止させる。
【００６０】
このため、リセット入力端子ＲＥＳＴに入力されたリセット信号ＲＳＴがハイレベルを示す場合は、ＬＣＤ４１に画像が表示される一方、入力されたリセット信号ＲＳＴがローレベルを示す場合は、ＬＣＤ４１には画像が表示されなくなる。つまり、ＬＣＤドライバー４２は、リセット入力端子ＲＥＳＴに入力されたリセット信号ＲＳＴがハイレベルを示す場合は、ＬＣＤ４１に画像を表示させる。一方、ＬＣＤドライバー４２は、リセット入力端子ＲＥＳＴに入力されたリセット信号ＲＳＴがローレベルを示す場合は、ＬＣＤ４１に画像を表示させない。
【００６１】
以下、電力モードに応じた表示制御装置２の動作について説明する。図３は、電源投入当初の表示制御装置２の動作の一例を示すシーケンス図である。
【００６２】
電源部９０のメインスイッチ（図略）が閉状態にされ、電源部９０から省エネ制御部１０へ電源電圧Ｖ１が供給されると、省エネ制御部１０は、電力モードを通常モードに切り替える。具体的には、図３に示すように、省エネ制御部１０は、給電スイッチＳＷ１、ＳＷ２を閉状態にする指示を示す開閉指示信号ＳＴ１ａ、ＳＴ２ａを出力する。これにより、給電スイッチＳＷ１、ＳＷ２は、開閉指示信号ＳＴ１ａ、ＳＴ２ａが示す指示に応じて閉状態となる。その結果、電源電圧Ｖ２がメイン制御部２０へ供給され、メイン制御部２０が給電状態となる。また、電源電圧Ｖ３がパネル制御部３０へ供給され、パネル制御部３０が給電状態となる（Ｓ１）。
【００６３】
メイン制御部２０は、給電状態になると、初期化処理を開始する。メイン制御部２０は、当該初期化処理において、先ず、通信インターフェイス回路を初期化し、パネル制御部３０との間で通信可能な状態になる。一方、パネル制御部３０も、給電状態になると、初期化処理を開始する。パネル制御部３０は、当該初期化処理において、通信インターフェイス回路を初期化し、メイン制御部２０との間で通信可能な状態になる。
【００６４】
そして、省エネ制御部１０は、電源投入後の起動時に電力モードを通常モードに切り替えることを示す切替指示信号ＭＤＣ（以下、起動指示信号）をメイン制御部２０へ出力する（Ｓ２）。
【００６５】
メイン制御部２０は、起動指示信号が入力されると、電源投入後の起動時に電力モードを通常モードに切り替えることを示す起動指示情報をパネル制御部３０へ送信する（Ｓ３）。
【００６６】
パネル制御部３０は、起動指示情報を受信すると、電源投入後の起動時に電力モードが通常モードに切り替えられていると判断する。パネル制御部３０は、当該判断をした場合、パネル制御部３０の不揮発性メモリーに予め記憶されている起動時表示画像を示す画像データＩＭＧをＬＣＤモジュール４０へ出力する（Ｓ４）。起動時表示画像は、複写機１が起動中であることを示す画像として予め定められた画像である。例えば、起動時表示画像は、複写機１の製造メーカーのロゴを示す画像等で構成されている。
【００６７】
ＬＣＤモジュール４０では、データ入力端子ＳＩに起動時表示画像を示す画像データＩＭＧが入力されると、ＬＣＤドライバー４２は、当該入力された画像データＩＭＧを画像記憶部４３に設けられた第１記憶領域に記憶する（Ｓ５）。
【００６８】
また、パネル制御部３０は、ステップＳ４において起動時表示画像を示す画像データＩＭＧを出力後、上記第１記憶領域の先頭アドレスを示す表示指示信号ＡＤＲをＬＣＤモジュール４０へ出力する（Ｓ６）。
【００６９】
一方、ＬＣＤモジュール４０では、指示信号入力端子Ａ０に第１記憶領域の先頭アドレスを示す表示指示信号ＡＤＲが入力されると、ＬＣＤドライバー４２は、第１記憶領域から、起動時表示画像を示す画像データＩＭＧを読み出す。そして、ＬＣＤドライバー４２は、読み出した画像データＩＭＧが示す起動時表示画像の各画素の画素値に基づいて決定したレベルのセグメント電圧及びコモン電圧を、セグメントドライバー及びコモンドライバーに供給させる。これにより、ＬＣＤドライバー４２は、ＬＣＤ４１に起動時表示画像を表示させる（Ｓ７）。
【００７０】
一方、メイン制御部２０は、ステップＳ３において起動指示情報をパネル制御部３０に送信後も、不揮発性メモリーからパネル制御部３０及び画像形成制御部５０の制御に用いる各種データを読み出してＲＡＭに記憶する等の初期化処理を継続する（Ｓ８）。
【００７１】
そして、メイン制御部２０は、初期化処理を完了すると、当該初期化処理においてＲＡＭに記憶した初期表示画像を示す画像データＩＭＧを、パネル制御部３０へ送信する（Ｓ９）。初期表示画像は、メイン制御部２０が初期化処理を完了し、複写機１が操作可能になったときに、ユーザーに最初に複写機１の操作を行わせるための操作画面を示す画像である。例えば、初期表示画像は、画像形成動作の各条件（例えば、部数、濃度、集約設定）を入力するための各操作画面を表示させるために押下されるソフトキーが配置された操作画面を示す画像等で構成されている。
【００７２】
一方、パネル制御部３０は、ステップＳ６の実行後、初期表示画像を示す画像データＩＭＧを受信すると、メイン制御部２０における初期化処理が完了したと判断する。パネル制御部３０は、当該判断をした場合、当該受信した初期表示画像を示す画像データＩＭＧをＬＣＤモジュール４０へ出力する（Ｓ１０）。ＬＣＤモジュール４０では、データ入力端子ＳＩに初期表示画像を示す画像データＩＭＧが入力されると、ＬＣＤドライバー４２は、当該入力された画像データＩＭＧを第１記憶領域に記憶する（Ｓ１１）。
【００７３】
また、パネル制御部３０は、ステップＳ１０で初期表示画像を示す画像データＩＭＧを出力後、ステップＳ６と同様に、第１記憶領域の先頭アドレスを示す表示指示信号ＡＤＲをＬＣＤモジュール４０へ出力する（Ｓ１２）。一方、ＬＣＤモジュール４０では、指示信号入力端子Ａ０に第１記憶領域の先頭アドレスを示す表示指示信号ＡＤＲが入力されると、ＬＣＤドライバー４２は、ステップＳ７と同様にして、第１記憶領域から初期表示画像を示す画像データＩＭＧを読み出して、ＬＣＤ４１に初期表示画像を表示させる（Ｓ１３）。
【００７４】
以降、初期表示画像が示す操作画面を視認したユーザーが、入力操作部８０を介して各種入力操作を行うと、メイン制御部２０は当該入力操作を受け付ける。当該入力操作が、ＬＣＤ４１に画像を表示させる指示を示す場合、メイン制御部２０は、ステップＳ９と同様に、表示対象の画像を示す画像データＩＭＧをパネル制御部３０へ送信する。これ以降は、ステップＳ１０からステップＳ１３と同様の処理が行われ、その結果、ＬＣＤ４１に当該表示対象の画像が表示される。このようにして、パネル制御部３０は、メイン制御部２０による指示の下、ＬＣＤモジュール４０を制御し、当該指示された画像をＬＣＤ４１に表示させる。
【００７５】
次に、電力モードが通常モードからスリープモードへ切り替えられるときの表示制御装置２の動作について説明する。図４は、電力モードが通常モードからスリープモードへ切り替えられるときの表示制御装置２の動作の一例を示すシーケンス図である。
【００７６】
省エネ制御部１０は、電力モードが通常モードである場合に、例えば、一定期間入力操作部８０を介した操作が何ら行われなかったときや、入力操作部８０に含まれるモード切替キーが押下されたことにより、モード切替信号ＭＯＤが入力されたときに、電力モードを通常モードからスリープモードに切り替える。具体的には、図４に示すように、省エネ制御部１０は、電力モードを通常モードからスリープモードに切り替えることを示す切替指示信号ＭＤＣ（以下、スリープ指示信号）をメイン制御部２０へ出力する（Ｓ２１）。
【００７７】
メイン制御部２０は、スリープ指示信号が入力されると、電力モードをスリープモードに切り替えることを示すスリープ指示情報をパネル制御部３０へ送信する（Ｓ２２）。また、メイン制御部２０は、初期化処理においてＲＡＭに記憶したスリープ表示画像及び復帰中表示画像を示す画像データＩＭＧをパネル制御部３０へ送信する（Ｓ２３）。
【００７８】
スリープ表示画像は、電力モードがスリープモードであることを示す画像として予め定められた画像であり、例えば、電力モードがスリープモードである旨のメッセージ（文字列）を示す画像等で構成されている。復帰中表示画像は、電力モードがスリープモードから通常モードへ復帰中であることを示す画像として予め定められた画像であり、例えば、電力モードがスリープモードから通常モードへ復帰中である旨のメッセージ（文字列）を示す画像等で構成されている。
【００７９】
パネル制御部３０は、ステップＳ２２で送信されたスリープ指示情報を受信すると、電力モードが通常モードからスリープモードへ切り替えられると判断する。パネル制御部３０は、当該判断後、スリープ表示画像及び復帰中表示画像を示す画像データＩＭＧを受信すると、当該受信した２つの画像データＩＭＧをＬＣＤモジュール４０へ出力する（Ｓ２４）。
【００８０】
一方、ＬＣＤモジュール４０では、データ入力端子ＳＩにスリープ表示画像及び復帰中表示画像を示す、２つの画像データＩＭＧが入力されると、ＬＣＤドライバー４２は、当該入力されたスリープ表示画像を示す画像データＩＭＧを画像記憶部４３に設けられた第１記憶領域に記憶する。また、ＬＣＤドライバー４２は、当該入力された復帰中表示画像を示す画像データＩＭＧを、画像記憶部４３に設けられた第２記憶領域に記憶する（Ｓ２５）。
【００８１】
そして、パネル制御部３０は、ステップＳ２４の実行後、第１記憶領域の先頭アドレスを示す表示指示信号ＡＤＲをＬＣＤモジュール４０へ出力する（Ｓ２６）。一方、ＬＣＤモジュール４０では、指示信号入力端子Ａ０に第１記憶領域の先頭アドレスを示す表示指示信号ＡＤＲが入力されると、ＬＣＤドライバー４２は、ステップＳ７と同様にして、第１記憶領域からスリープ表示画像を示す画像データＩＭＧを読み出して、ＬＣＤ４１にスリープ表示画像を表示させる（Ｓ２７）。
【００８２】
また、メイン制御部２０は、ステップＳ２３を実行後、給電スイッチＳＷ１を開状態にする指示を示す開閉指示信号ＳＴ１ｂを出力する。これにより、給電スイッチＳＷ１は、開閉指示信号ＳＴ１ｂが示す指示に応じて開状態となる。その結果、メイン制御部２０への電源電圧Ｖ２の供給が遮断され、メイン制御部２０が非給電状態となる（Ｓ２８）。
【００８３】
また、パネル制御部３０は、ステップＳ２６を実行後、給電スイッチＳＷ２を開状態にする指示を示す開閉指示信号ＳＴ２ｂを出力する。これにより、給電スイッチＳＷ２は、開閉指示信号ＳＴ２ｂが示す指示に応じて開状態となる。その結果、パネル制御部３０への電源電圧Ｖ３の供給が遮断され、パネル制御部３０が非給電状態となる（Ｓ２９）。
【００８４】
ステップＳ２９においてパネル制御部３０が非給電状態になった場合であっても、上述のように、リセット信号出力回路２１は、パネル制御部３０へハイレベルのリセット信号ＲＳＴをＬＣＤモジュール４０へ出力する。このため、ＬＣＤドライバー４２は、ステップＳ２７においてＬＣＤ４１にスリープ表示画像を表示させた後、パネル制御部３０が非給電状態になったとしても、スリープ表示画像をＬＣＤ４１に表示させ続ける。
【００８５】
次に、電力モードがスリープモードから通常モードへ切り替えられるときの表示制御装置２の動作について説明する。図５は、電力モードがスリープモードから通常モードへ切り替えられるときの表示制御装置２の動作の一例を示すシーケンス図である。
【００８６】
省エネ制御部１０は、電力モードがスリープモードである場合に、入力操作部８０に含まれるモード切替キーが押下されたことにより、モード切替信号ＭＯＤが入力されると、電力モードをスリープモードから通常モードに切り替える。具体的には、図５に示すように、省エネ制御部１０は、給電スイッチＳＷ１、ＳＷ２を閉状態にする指示を示す開閉指示信号ＳＴ１ａ、ＳＴ２ａを出力する。これにより、給電スイッチＳＷ１、ＳＷ２は、開閉指示信号ＳＴ１ａ、ＳＴ２ａが示す指示に応じて閉状態となる。その結果、電源電圧Ｖ２がメイン制御部２０へ供給され、メイン制御部２０が給電状態となる。また、電源電圧Ｖ３がパネル制御部３０へ供給され、パネル制御部３０が給電状態となる（Ｓ３１）。
【００８７】
メイン制御部２０は、給電状態になると、初期化処理を開始する。メイン制御部２０は、当該初期化処理において、先ず、通信インターフェイス回路を初期化し、パネル制御部３０との間で通信可能な状態になる。一方、パネル制御部３０も、給電状態になると、初期化処理を開始する。パネル制御部３０は、当該初期化処理において、通信インターフェイス回路を初期化し、メイン制御部２０との間で通信可能な状態になる。
【００８８】
そして、省エネ制御部１０は、電力モードをスリープモードから通常モードに切り替えることを示す切替指示信号ＭＤＣ（以下、復帰指示信号）をメイン制御部２０へ出力する（Ｓ３２）。
【００８９】
メイン制御部２０は、復帰指示信号が入力されると、電力モードをスリープモードから通常モードに切り替えることを示す復帰指示情報をパネル制御部３０へ送信する（Ｓ３３）。
【００９０】
パネル制御部３０は、復帰指示情報を受信すると、電力モードがスリープモードから通常モードへ復帰中であると判断する。パネル制御部３０は、当該判断をした場合、第２記憶領域の先頭アドレスを示す表示指示信号ＡＤＲをＬＣＤモジュール４０へ出力する（Ｓ３４）。
【００９１】
ＬＣＤモジュール４０では、ステップＳ２７（図４）の実行後、電力モードがスリープモードである間、ＬＣＤドライバー４２は、スリープ表示画像をＬＣＤ４１に表示させ続けている。そして、ＬＣＤモジュール４０では、ステップＳ３４の実行により、指示信号入力端子Ａ０に第２記憶領域の先頭アドレスを示す表示指示信号ＡＤＲが入力されると、ＬＣＤドライバー４２は、第２記憶領域から復帰中表示画像を示す画像データＩＭＧを読み出し、ステップＳ７と同様にして、ＬＣＤ４１に復帰中表示画像を表示させる（Ｓ３５）。
【００９２】
一方、メイン制御部２０は、ステップＳ３３において復帰指示情報をパネル制御部３０に送信後も、不揮発性メモリーからパネル制御部３０及び画像形成制御部５０の制御に用いる各種データを読み出してＲＡＭに記憶する等の初期化処理を継続する（Ｓ３６）。
【００９３】
そして、メイン制御部２０は、初期化処理を完了すると、当該初期化処理において読み出してＲＡＭに記憶した復帰後表示画像を示す画像データＩＭＧを、パネル制御部３０へ送信する（Ｓ３７）。復帰後表示画像は、電力モードがスリープモードから通常モードへ切り替えられた場合に、メイン制御部２０が初期化処理を完了して、複写機１が操作可能になったときに、ユーザーに最初に複写機１の操作を行わせるための操作画面を示す画像である。例えば、復帰後表示画像は、上記初期表示画像と同じ操作画面を示す画像で構成されている。
【００９４】
尚、復帰後表示画像は、上記初期表示画像と同じ操作画面を示す画像で構成されていることに限定されない。例えば、メイン制御部２０は、電力モードが通常モードからスリープモードへ切り替えられたとき、ステップＳ２８において、給電スイッチＳＷ１を開状態にする指示を示す開閉指示信号ＳＴ１ｂを出力する前に、当該開閉指示信号ＳＴ１ｂを出力する前に表示されている画像を示す画像データＩＭＧを、復帰後表示画像を示す画像データＩＭＧとして、不揮発性メモリーに記憶するようにしてもよい。
【００９５】
パネル制御部３０は、ステップＳ３４の実行後、復帰後表示画像を示す画像データＩＭＧを受信すると、メイン制御部２０における初期化処理が完了し、スリープモードから通常モードへの復帰が完了したと判断する。パネル制御部３０は、当該判断をした場合、当該受信した復帰後表示画像を示す画像データＩＭＧをＬＣＤモジュール４０へ出力する（Ｓ３８）。ＬＣＤモジュール４０では、データ入力端子ＳＩに復帰後表示画像を示す画像データＩＭＧが入力されると、ＬＣＤドライバー４２は、当該入力された画像データＩＭＧを画像記憶部４３に設けられた第１記憶領域に記憶する（Ｓ３９）。
【００９６】
また、パネル制御部３０は、ステップＳ３８で復帰後表示画像を示す画像データＩＭＧを出力後、ステップＳ６と同様に、上記第１記憶領域の先頭アドレスを示す表示指示信号ＡＤＲをＬＣＤモジュール４０へ出力する（Ｓ４０）。一方、ＬＣＤモジュール４０では、指示信号入力端子Ａ０に第１記憶領域の先頭アドレスを示す表示指示信号ＡＤＲが入力されると、ＬＣＤドライバー４２は、ステップＳ７と同様にして、第１記憶領域から復帰後表示画像を示す画像データＩＭＧを読み出して、ＬＣＤ４１に復帰後表示画像を表示させる（Ｓ４１）。
【００９７】
上記実施形態の構成によれば、省エネ制御部１０によって電力モードがスリープモードへ切り替えられると、メイン制御部２０及びパネル制御部３０は非給電状態になる。このため、電力モードがスリープモードである場合にメイン制御部２０及びパネル制御部３０を給電状態にする構成に比して、電力モードがスリープモードである場合にメイン制御部２０及びパネル制御部３０によって消費される消費電力を抑制することができる。
【００９８】
また、上記実施形態の構成によれば、電力モードがスリープモードへ切り替えられるとき、メイン制御部２０により送信されたスリープ表示画像及び復帰中表示画像が画像記憶部４３に記憶され、ＬＣＤ４１にスリープ表示画像が表示される。そして、電力モードがスリープモードの間も、ＬＣＤモジュール４０は給電状態になる。
【００９９】
このため、ＬＣＤモジュール４０は、電力モードがスリープモードである間、スリープ表示画像をＬＣＤ４１に表示させ続けることができる。その結果、ユーザーは、電力モードがスリープモードである間、スリープ表示画像を視認することにより、現在の電力モードがスリープモードであることを的確に把握することができる。
【０１００】
また、電力モードがスリープモードである間、ＬＣＤモジュール４０は給電状態であるので、画像記憶部４３に復帰中表示画像が記憶された状態が維持される。また、電力モードがスリープモードから通常モードへ切り替えられたときには、メイン制御部２０が給電状態になった当初に行う所定の初期化処理を終えていないときであっても、パネル制御部３０により、画像記憶部４３に記憶されている復帰中表示画像がＬＣＤ４１に表示される。このため、ユーザーは、復帰中表示画像を視認することにより、メイン制御部２０が給電状態になった当初に行う所定の初期化処理を終えていず、電力モードがスリープモードから通常モードへ復帰中であることを的確に把握することができる。
【０１０１】
また、上記実施形態の構成によれば、電力モードがスリープモードに切り替えられたときに、パネル制御部３０は非給電状態になった場合であっても、リセット信号出力回路２１は、ハイレベルのリセット信号ＲＳＴをＬＣＤモジュール４０へ出力する。このため、ＬＣＤモジュール４０は、電力モードがスリープモードの間、電力モードがスリープモードに切り替えられるときに表示されたスリープ表示画像を非表示にすることなく、スリープ表示画像の表示を継続することができる。
【０１０２】
尚、上記実施形態において図１及び図５に示した構成等は単なる一例に過ぎず、本発明を当該実施形態に限定する趣旨ではない。
【０１０３】
例えば、メイン制御部２０の不揮発性メモリーに起動時表示画像を記憶するようにし、パネル制御部３０の不揮発性メモリーには起動時表示画像を記憶しなくてもよい。これに合わせて、メイン制御部２０は、ステップＳ３（図３）においてパネル制御部３０へ起動指示情報を送信後、メイン制御部２０の不揮発性メモリーに記憶されている起動時表示画像を示す画像データＩＭＧを読み出して、当該画像データＩＭＧをパネル制御部３０へ送信してもよい。これに合わせて、パネル制御部３０は、ステップＳ４に代えて、メイン制御部２０が送信した起動時表示画像を示す画像データＩＭＧを受信し、当該受信した起動時表示画像を示す画像データＩＭＧをＬＣＤモジュール４０へ送信してもよい。
【符号の説明】
【０１０４】
１  複写機（電子機器）
２  表示制御装置
１０  省エネ制御部
２０  メイン制御部
２１  リセット信号出力回路（信号切替部）
３０  パネル制御部
４０  ＬＣＤモジュール（表示装置）
４１  ＬＣＤ（表示部）
４２  ＬＣＤドライバー
４３  画像記憶部
８０  入力操作部
ＲＳＴ  リセット信号
【図１】
0006035231.tif 000002
【図２】
0006035231.tif 000003
【図３】
0006035231.tif 000004
【図４】
0006035231.tif 000005
【図５】
0006035231.tif 000006